(57)【要約】      （修正有）【課題】バック布を前後、上下方向に区分してそれぞれの箇所の機能に合わせて伸縮パワーを設定し、全体として造形性に優れ、段差も生じ難くかつ着用感のよいブラジャー等のカップ部を有する衣類を提供する。【解決手段】カップ部２とカップ部の脇側からバック側に延びるバック布４と肩紐５とを少なくとも備える衣類において、バック布４は伸縮性の布であって上縁４ａ、上縁より長い下縁４ｂ、前縁４ｃ、前縁より短い後縁４ｄ、及び上縁後端と後縁上端とを結ぶ斜め状の縁４ｅとを有し、前後方向の伸縮パワーの強弱により少なくとも４つの部分に区分され、前側上部４１の部分が最も伸縮パワーが大きく次いで前側下部４２、後側上部４３、後側下部４４の順に伸縮パワーが段階的に小さくする。バック布は上下方向にも伸縮性を有し、かつ斜め状の縁４ｅは後側下部４４と後側上部４３の両方に渡って延びており、その全長に沿って肩紐５を取り付ける。【選択図】図１
2010180509.tif 000002
【特許請求の範囲】
【請求項１】
カップ部と、カップ部の脇側からバック側に延びるバック布と、肩紐とを少なくとも備える衣類において、
前記バック布は、伸縮性の布であって、上縁、上縁より長い下縁、前縁、前縁より短い後縁、及び上縁後端と後縁上端とを結ぶ斜め状の縁とを有するとともに、
前後方向の伸縮パワーの強弱によって、少なくとも４つの部分に区分され、前側上部の部分が最も伸縮パワーが大きく、次いで、前側下部、後側上部、後側下部の順に伸縮パワーが段階的に小さくされており、
さらに、前記バック布は、上下方向にも伸縮性を有しており、かつ前記斜め状の縁は、前記後側下部と前記後側上部の両方に渡って延びており、その全長に沿って前記肩紐が取り付けられていることを特徴とするカップ部を有する衣類。
【請求項２】
前記上縁はヘム仕様とされていることを特徴とする請求項１に記載のカップ部を有する衣類。
【請求項３】
前記上縁と前記下縁とが前後方向において重複する範囲における前端での前記上縁と前記下縁との間の距離ｘ１と、後端での前記上縁と前記下縁との間の距離ｘ２とは、ｘ１がｘ２に対して２〜１０％だけ長いことを特徴とする請求項１又は２に記載のカップ部を有する衣類。
【請求項４】
前記各前側部と前記各後側部との境界をなす上下方向に伸びるパワー切り替え線が、着用者の後腋窩線近傍に位置することを特徴とする請求項１〜３のいずれか1項に記載のカップ部を有する衣類。
【請求項５】
前記前側上部と前記前側下部の間に、前記前側上部の前記伸縮パワーよりも小さく前記前側下部の前記伸縮パワーよりも大きい伸縮パワーを有する前側中部と、
前記後側上部と前記後側下部の間に、前記後側上部の前記伸縮パワーよりも小さく前記後側下部の前記伸縮パワーよりも大きい伸縮パワーを有する後側中部とを、さらに設けたことを特徴とする請求項１〜４のいずれか1項に記載のカップ部を有する衣類。
【発明の詳細な説明】
【技術分野】
【０００１】
本発明は、衣類、特にカップ部を有する衣類に関するものである。
【背景技術】
【０００２】
ブラジャー等のカップ部を有する衣類においては、着用者の腋から背中にかけてバック布が位置する。このバック布によって、着用者の特に腋部分でのサポート感を高め、かつ皮膚の盛り上がりによる段差をできるだけ生じないようにすることが望まれている。
従来においては、サポート感を高めるために、バック布の上下に伸縮性の強いテープを取り付けることがなされてきた。
しかし、伸縮性の強いテープを取り付けた場合、そのテープが皮膚に食い込んでその上下において着用者の腋部での段差を生じてしまう。
そのため、特許文献１においては、バック布の上下縁のテープを無くし、上下における伸縮パワーを小さくするとともに、中央部の伸縮パワーを大きくして、段差を生じ難くする工夫がされている。
また、バック布の上下の領域を伸縮パワーが異なるように編成し、皮膚からのずれの発生を防止する技術が、特許文献２に開示されている。
【特許文献１】特開２００２−２３５２０９号公報
【特許文献２】実開平７−２８９２１号公報
【発明の開示】
【発明が解決しようとする課題】
【０００３】
しかし、特許文献１に記載の技術においては、着用時にバック布の部分でのサポート感が乏しくなることがあり、特に、バック布を細幅にした場合にその傾向が大きい。
また、特許文献２に記載の技術も、バック布の上下において、伸縮パワーを異ならせているが、これは伸縮パワーの強い箇所が皮膚とともに移動することでずれることを防止するためのもので、サポート感の向上や段差解消を行うものでも、特許文献１の問題を解消するものでもない。
そして、特許文献１、２の技術は、いずれも、伸縮パワーの強い箇所がバック布の前後方向に渡っていることから、それぞれの目的を達成するために、伸縮パワーを十分に強くすると、着用者は全体に渡ってきつい圧迫されるような着用感を持つことになる。
【０００４】
本発明は、これらの問題点を解決するためになされたもので、バック布を前後、上下方向に区分して、それぞれの箇所の機能に合わせて伸縮パワーを設定し、全体として、造形性、補整機能に優れ、段差も生じ難く、かつ着用感のよいブラジャー等のカップ部を有する衣類を提供することを目的とする。
【課題を解決するための手段】
【０００５】
本発明に係るカップ部を有する衣類は、カップ部と、カップ部の脇側からバック側に延びるバック布と、肩紐とを少なくとも備える衣類において、バック布は、伸縮性の布であって、上縁、上縁より長い下縁、前縁、前縁より短い後縁、及び上縁後端と後縁上端とを結ぶ斜め状の縁とを有するとともに、前後方向の伸縮パワーの強弱によって、少なくとも４つの部分に区分され、前側上部の部分が最も伸縮パワーが大きく、次いで、前側下部、後側上部、後側下部の順に伸縮パワーが段階的に小さくされており、さらに、バック布は、上下方向にも伸縮性を有しており、かつ斜め状の縁は、後側下部と後側上部の両方に渡って延びており、その全長に沿って肩紐が取り付けられていることを特徴とする。
【０００６】
本発明によれば、着用時に腋の部分に位置することになるバック布の前側の伸縮パワーを強くすることで、腋部分の造形性、補整機能を高めている。そして、バック布の前側であっても、特に、上部が造形性に寄与し、かつ上部の緊締力が強いとサポート感を伴うことから、前側上部を最も強くし、前側下部をそれに次いで伸縮パワーを強く設定している。
また、前側下部までを前側上部と同じように強くすると、局所的な圧迫感も強くなる上に、腋部を補整し造形性を高めるために強く抑える必要のある前側上部が相対的に弱くなり、十分な機能を果たせない。
そのため、前側下部は、前側上部よりは伸縮パワーを多少弱く設定している。
また、前側上部と後側上部との関係においても、サポート感を十分に感じるような着用感を増すためには、上部の伸縮パワーの強いことが望ましいが、後側上部まで前側上部と同じほどに強力にすると、強い圧迫感を生じて却って着用感が低下する。
そのため、後側上部は、３番目の強さの伸縮パワーとしている。ここで、後側上部の伸縮パワーを前側下部よりも小さくしたことは、後側は補整が特に必要な腋の造形性に寄与することが前側よりも小さいことから、伸縮パワーも小さくてよいためである。
また、後側上部の伸縮パワーを後側下部よりも大きくしたことは、前記のとおり、上部を強くすることでサポート感が伴うためであるが、さらに、上部が位置する人体の部分は下部に比べて脂肪が多いことから、強く抑える必要があることにもよる。
【０００７】
また、バック布は、全体として、上縁、上縁より長い下縁、前縁、前縁より短い後縁、及び上縁後端と後縁上端とを結び肩紐がそれに沿って取り付けられる斜め状の縁によって囲まれる外形をなしている。このような外形のバック布は、バック側になるにつれて徐々に細くなり、その細幅の上辺一箇所に肩紐の端部が取り付けられる一般的なバック布形状に対して、上縁と下縁が前後方向で重複する範囲で上下方向幅を十分な広幅に形成でき、また上記のような少なくとも４つの領域に区分するのに適した形状になる。
そのため、上部の伸縮パワー、特に前側上部の伸縮パワーを強くしても、局部的な圧迫感を生じることなく、また人体表面の段差も生じ難い。さらに、十分なサポート感も得ることができる。
そして、上縁後端と後縁上端とを結ぶ斜め状の縁には、その全長に沿って肩紐が取り付けられており、着用者が肩を動かす運動をしたような場合、肩紐が伸縮して移動することになる。その際、肩紐が取り付けられている箇所のバック布は、前後方向のみでなく上下方向にも伸縮性を有していることから、上下方向や場合によっては斜め方向における肩紐の移動や伸縮を吸収して、バック布が位置ずれすることを防止できる。肩紐がそれに沿った状態で取り付けられている後側でも、特に肩紐の端部が取り付けられる後側下部は伸縮パワーが弱くされていることから、人体表面に対する拘束力が弱くて伸縮もし易く、十分に肩紐の移動、伸縮を吸収できる。
【０００８】
また、本発明において、上縁をヘム仕様とすれば、伸縮性の強い細幅のテープを取り付けて上縁を縫合するような端始末を行う必要がないことから、テープによる段差も生じずに、段差が生じやすい上縁付近の段差発生を一層解消できる。
【０００９】
また、本発明において、上縁と下縁とが前後方向において重複する範囲における前端での上縁と下縁との間の距離ｘ１と、後端での上縁と下縁との間の距離ｘ２とは、ｘ１がｘ２に対して２〜１０％だけ長いものとすれば、上縁と下縁が前後方向で重複する範囲における幅の長さの変化が少ないものとなり、さらに、十分幅が広く４つの領域に区分するのに適したバック布の形状とすることができる。そのため、前記のとおりの本発明のバック布部による作用効果が一層達成できる。
【００１０】
また、本発明において、前記各前側部と前記各後側部との境界をなす上下方向に伸びるパワー切り替え線が、着用者の後腋窩線近傍に位置すれば、最も伸縮パワーの強い前側上部とそれに次ぐパワーの前側下部が、前腋窩線と後腋窩線の間をカバーすることになる。この部分は、人体において皮膚の伸縮が激しくかつ脂肪も多いところであって、補整、造形のためにしっかりと抑えたい箇所であることから、伸縮パワーの強い箇所を対応させることで、造形性、着用感の一層の向上が達成される。
【００１１】
また、本発明において、前側上部と前側下部の間に、前側上部の伸縮パワーよりも小さく前側下部の伸縮パワーよりも大きい伸縮パワーを有する前側中部と、後側上部と後側下部の間に、後側上部の伸縮パワーよりも小さく後側下部の伸縮パワーよりも大きい伸縮パワーを有する後側中部とを、さらに設けた場合、伸縮パワーによる区分が、上下方向に３段階になっていることから、バック布部での更なるスムージング化を図る、すなわち、上下方向に２段階の場合よりもさらにバック布部でのシルエットを美しくすることができる。
【発明の効果】
【００１２】
本発明によれば、バック布を前後、上下方向に区分して、それぞれの箇所の機能に合わせて伸縮パワーを設定し、全体として、造形性、補整機能に優れ、段差も生じ難く、かつ着用感のよいブラジャー等のカップ部を有する衣類を提供することができる。
【発明を実施するための最良の形態】
【００１３】
以下、図面に基づいて、本発明によるカップ部を有する衣類の好適な実施形態について詳細に説明する。図１は、本発明におけるカップ部を有する衣類としてのブラジャー１を前方から見た斜視図である。また、図２は、ブラジャー２を裏側から見た図である。
カップ部２は、その脇から下部にかけて、非伸縮性の土台布３が逢着され、それによって支持されている。カップ部２と土台布３との境界には、裏側において、細幅のテープ７が縫着されており、その内部にはカップワイヤ（図示せず）が装入されている。
土台布３の脇端部には伸縮性のバック布４が逢着されている。土台布３とバック布４との境界には、裏側において、細幅のテープ９が逢着されており、その内部には、合成樹脂製の補強材であるボーン（図示せず）が装入されている。
土台布３からバック布４の裏側下端部には、伸縮性の細幅テープ８が逢着されている。
また、バック布４の後端縁には、ホック取り付け布６が逢着されている。
【００１４】
バック布４は、図１、２に示すとともに、図３に拡大した平面図で示す。なお、バック布４は、左右に２つあるが、左右対称であるために、一方のみを説明する。また、カップ部２に近い方すなわち図１〜３における左方を前、バック側すなわち図１〜３における右方を後として説明する。
バック布４は、上縁４ａ、上縁より長い下縁４ｂ、前縁４ｃ、前縁より短い後縁４ｄ、及び上縁４ａの後端と後縁４ｄの上端とを結ぶ斜め状の縁４ｅとによって囲まれる形状をしている。
この斜め状の縁４ｅは、わずかに下に凸の曲線をなしており、この斜め状の縁４ｅの全長に沿って強い伸縮力を有する伸縮性の肩紐５が逢着されている。また、バック布４は、上下方向にも伸縮性を有している。
また、上縁４ａは、端始末が不要なヘム仕様とされており、直線状をなしている。
また、下縁４ｂは、わずかに上に凸の曲線をなしている。
【００１５】
一般的なブラジャーでは、バック布はカップ側端部（前端）からバック側の端部（後端）に渡ってテーパ状に次第に細くなり、その途中に肩紐の端部が取り付けられている。
それに対して、本実施形態のバック布４では、前記のとおりの上縁４ａ、下縁４ｂ、前縁４ｃ、後縁４ｄ及び肩紐５がそれに沿って取り付けられる斜め状の縁４ｅにより囲まれる形状をなしており、上縁４ａと下縁４ｂが前後方向で重複する間は、４つの領域に区分しさらに広幅とするのに適した形状となる。
この上縁４ａと下縁４ｂとが重複する範囲での上縁４ａと下縁４ｂとの間の幅は大きく変わることない。すなわち、図３において、前記重複範囲での前端の幅となる、上縁４ａから下縁４ｂの前端に垂直に下ろした距離ｘ１と、後端での幅となる、上縁４ａの後端から下縁４ｂに垂直に下ろした距離ｘ２との比を取った場合、ｘ１がｘ２に対して２〜１０％長い範囲、すなわち、ｘ１がｘ２の１．０２〜１．１の範囲であることが好ましい。
また、具体的な長さでいうと、ｘ２が７５〜１０５ｍｍの範囲内の長さであり、ｘ１はその１．０２〜１．１の長さであることが好ましい。
本実施形態では、このような広幅とされるバック布４を、前後方向の伸縮パワーの強弱によって４つの部分に区分している。
【００１６】
図のように、バック布４は、上下方向に延びる直線状のパワー切り替え線Ｌ１と前後方向に延びる直線状のパワー切り替え線Ｌ２とによって４区分されている。
そして、前側上部４１が最も前後方向の伸縮パワーが大きく、次いで、前側下部４２、後側上部４３、後側下部４４の順に伸縮パワーが段階的に小さくされている。
バック布４に伸縮パワーの差を設けるには、図４に示すように、図における左右方向の伸縮パワーが最も強い領域１０Ａから、１０Ｂ、１０Ｃ、１０Ｄと順次弱くなる４つの領域が形成される布地１０から、バック布４をそれぞれの区分４１〜４４に対応させて裁断して切り抜けばよい。
そして、布地１０に伸縮パワーの強弱をつけることは、弾性力の異なる糸、例えば太さの異なるポリウレタン糸によって各領域を編成すること、挿入する弾性糸の本数を各領域によって異ならせること、伸縮パワーの異なる編組織をそれぞれの領域で編成すること等によりおこなえばよい。また、場合によっては、伸縮パワーの異なる布地を接いでバック布４を形成することも可能である。
【００１７】
ここで、本実施形態のバック布４を伸縮パワーの強弱で４つに区分けした理由は次のとおりである。
ブラジャー１の着用時には、前側上部４１及び前側下部４２が着用者の腋に位置する。特に、本実施形態では、バック布４を前後に区分するパワー切り替え線Ｌ１は、人体の後腋窩線近傍に位置するようにしている。具体的には、着用時における、パワー切り替え線Ｌ１は、着用者の後腋窩線の前後にそれぞれ上縁４ａの長さの１０％の範囲内に位置するようにしている。これは、パワー切り替え線Ｌ１の位置は、後腋窩線から、多少前後しても効果が極端に低下することはなく、また、体型には個人差があるため、全ての人の後腋窩線に一致する位置にパワー切り替え線Ｌ１を設けることは不可能であり、標準的な体型の場合に後腋窩線と一致するよう設計すると、大多数の体型の場合、前記範囲内に位置するということに起因している。
この範囲内に位置することによって、バック布４の前側上部４１，前側下部４２が、皮膚の伸縮が激しく脂肪も多くて、補整、造形のために強力に抑える必要のある前腋窩線と後腋窩線の間をカバーすることになる。
そのため、これら前側上部と前側下部の伸縮パワーを強くして腋部分を補整、造形する効果を高めている。また、前側部分であっても、上部の方が下部に比べて、対応する人体の脂肪も多く、伸縮パワーを強くすれば補整、造形の効果も大きい。また、上部を強くすることで、バック布４による十分なサポート感が得られる。
ここで、前側下部４２を前側上部４１と同じほどに強い伸縮パワーに設定すると、局所的な圧迫感も強くなる上に、腋部を補整し造形性を高めるために強く抑える必要のある前側上部４１が相対的に弱くなり、十分な機能を果たせない。そのため、前側下部４２は、前側上部４１よりは弱いパワーとしている。
【００１８】
また、前側に限らず後側においても、上部の伸縮パワーを強くすることで、バック布４の全体として、サポート感に影響の大きい上部がしっかりと緊締されて、サポート感が増す。そのために、後側上部４３の伸縮パワーを後側下部４４よりも大きくしている。しかし、後側上部４３まで前側上部４１と同じほどに強力にすると、全体として緊縮力が大きくなって、強い圧迫感を生じ、却って着用感が低下する。
また、後側上部４３と後側下部４２の関係では、後側上部４３は、前側下部４２に比べて造形性に寄与することは少ないことから、３番目の強さとしている。
ここで、本実施形態におけるバック布４は、前記のように広幅となる形状であることから、前側、後側に渡って上部の伸縮パワーを下部よりも強くした場合、サポート感が一層向上し、さらに、特に前側上部４１の最も強いパワーの部分において、補整、造形性が高められるとともに人体表面の段差も生じ難くなっている。
また、後側上部４３の伸縮パワーを後側下部４４よりも大きくすることで、サポート感を高めることができているが、さらに、後側上部が位置する着用者の部分は後側下部に比べて脂肪が多いことから、強く抑える必要があることにもよる。
【００１９】
さらに、バック布４の上縁４ａの後端と後縁４ｄの上端とを結ぶ斜め状の縁４ｅは、後側下部４４から後側上部４３に渡って形成されており、その全長に沿って肩紐５が取り付けられている。そして、これらの後側上部４３と後側下部４４は、上下方向にも伸縮性を有している。
そのため、着用者が肩を動かす運動をしたような場合、肩紐５が伸縮し移動することになる。その際、バック布４の後側上部４３と後側下部４４は、前後方向のみならずに上下方向にも伸縮性を有していることから、いずれの方向にも肩紐５の移動や伸縮を吸収して、バック布４の位置がずれることを防止できる。
特に、肩紐５が沿った状態で取り付けられている後側、特に肩紐５の端部が取り付けられている後側下部４４は伸縮パワーが最も弱くされていることから、人体表面に対する拘束力が弱くて伸縮し易く、十分に肩紐５の移動、伸縮を吸収できる。
なお、本実施形態においては、前側上部４１及び前側下部４２においても、後側上部４３及び後側下部４４よりは伸度は小さいものの、やはり上下方向にも伸縮性を備えていて、人体表面の皮膚の上下方向への移動を吸収することができる。
【００２０】
また、本実施形態においては、バック布４の上縁４ａはヘム仕様としていることから、細幅の伸縮テープを取り付けて上縁を縫合するような端始末を行う必要がない。
そのため、細幅の伸縮テープによる人体表面の段差を生じることもなく、段差が生じやすいバック布４の上縁４ａ付近の段差が一層解消できる。
【００２１】
また、本実施形態においては、バック布４の下縁４ｂは上に凸の曲線とされている。
バック布４が位置する人体は、一般に上部が下部より周長が大であって、上下方向には傾斜状を呈しており、長さの長い下縁４ｂが直線状であると、人体の周囲に合致しない。
そのため、下縁４ｂを上に凸の曲線として、傾斜を伴う人体周囲に着用した時に適合するようにしている。
【００２２】
また、他の実施形態として、図５に示すように、バック布４を前後方向の伸縮パワーによって、６つの部分に区分してもよい。
すなわち、前側上部４１と前側下部４２の間に、前側上部４１の伸縮パワーよりも小さく前側下部４２の伸縮パワーよりも大きい伸縮パワーを有する前側中部４５と、後側上部４３と後側下部４４の間に、後側上部４３の伸縮パワーよりも小さく後側下部４４の伸縮パワーよりも大きい伸縮パワーを有する後側中部４６とを、さらに設ける。
これによって、伸縮パワーが、前側上部４１、前側中部４５、前側下部４２、後側上部４３、後側中部４６、後側下部４４の順に小さくなる６つの部分に区分される。
そのため、前後方向に延びる直線状のパワー切り替え線Ｌ２が、Ｌ２−１とＬ２−２の２本となるが、それ以外の上下方向のパワー切り替え線Ｌ１の位置や、ｘ１とｘ２の好ましい比などは、図４までの実施形態で述べたと同様である。
この実施形態のように、６つに区分した場合、伸縮パワーによる区分が、上下方向に３段階になっていることから、４つの区分の実施形態の場合よりも、バック布４の部分での更なるスムージング化を図ることができる。すなわち、バック布部でのシルエットをさらに美しくすることができる。
【００２３】
なお、各実施形態においては、バック布４の後端にホック取り付け布６が配置されるタイプとしたが、バック布４の後端どうしを一体に連結し、前側どうしをホックによって連結するフロントホックタイプのものであってもよい。
また、カップワイヤやボーンの補強材がないものであってもよい。
さらに、各実施形態においては、本発明の衣類をブラジャー１によって説明したが、ブラジャー以外でも、ブラスリップ、ブラキャミソール、ボディスーツ、カップ付きテディ、水着等のようにカップ部、バック布、肩紐を備える衣類であれば適用可能である。
【実施例１】
【００２４】
図４のとおりのサテン地からなる布地１０を、カールマイヤー製の経編み機ＲＳＥ５ELによって編成した。このような経編み機であれば、緯方向（図面の上下方向）だけでなく、経方向（図面の左右方向）についても糸を切り替えてパワー切り替えを行うことができる。糸は、ナイロン糸とポリウレタン糸を混用した。
パワー切り替え線Ｌ２で区分される、１０B、１０Dの２つを合わせた領域と、１０A、１０Cの２つを合わせた領域とは、挿入する弾性糸としてのポリウレタン糸において差を付けた。具体的には、１０B、１０Dの２つの領域では、３１０dtex(デシテックス）（２８０デニール）のポリウレタン糸を使用したのに対し、１０A、１０Cの２つ領域では、同じ３１０dtex（２８０デニール）のポリウレタン糸に加えて、２３５dtex(２１０デニール）のポリウレタン糸を間に挿入し、糸の太さ換算で、ポリウレタン糸を５４５dtex（４９０デニール）とした。
一方、パワー切り替え線Ｌ１で区分される、１０C、１０Dの２つを合わせた領域と、１０A、１０Bの２つを合わせた領域とは、組織、ランナーなど編条件を変化させ、２つの特性の異なる領域を連続して編成することで、Ｌ１を境目に経方向、緯方向ともに伸度、パワーに極端な差が生じるようにした。
なお、図５の実施形態の作製においては、パワー切り替え線Ｌ２−１とＬ２−２の間に中間部分として設けた前側中部４５，後側中部４６に対応する布地部分は、３１０dtex（２８０デニール）のポリウレタン糸に、１本おきに、２３５dtex(２１０デニール）のポリウレタン糸を挿入することで、中間的な伸縮パワーとする。
【００２５】
各領域の経方向（図面左右方向）の伸度及び伸縮パワーの確認は次のとおりに行った。
先ず、幅２ｃｍ、つかみ間隔１０ｃｍの試料により、荷重１４．７N（ニュートン）（１．５ｋｇｆ）における伸度を測定した。
結果は、１０A〜１０Dの順に、５０％、４３％、１０８％、１３２％であった。
次に、伸縮パワーを計測したが、伸縮パワーは、荷重を増加する段階と減少する段階でヒステリシスを生じるため、次のように計測した。
伸度４０％に達するまでの荷重を最大荷重として、荷重を徐々に増加させながら最大荷重に達する前の伸度３０％での荷重を、行きの荷重として測定し、最大荷重から減少させて伸度３０％での荷重を帰りの荷重として測定した。そして、このような測定は回を重ねる毎に１００％は回復せずに、値は変化するために、３回目の測定での行きの荷重と帰りの荷重を合計して、２で割った平均値を伸縮パワーとした。結果は、１０Ａ〜１０Ｄの順に次のとおりであった。かっこ内の初めの数値が行きの荷重、後の数値が帰りの荷重で、その平均値が伸縮パワーを表している。
１０Ａ：（４９２＋３５３）／２＝４２３ｃＮ（センチニュートン）、１０Ｂ：（４９４＋１９２）／２＝３４３ｃＮ、１０Ｃ：（２７２＋２４９）／２＝２６１ｃＮ、１０Ｄ：（１４０＋１２９）／２＝１３５ｃＮ
また、本実施例においては、緯方向（図面上下方向）についても、各領域では伸縮性を有している。その伸縮性は、経方向と同様に、バック布の後側となる１０Ｃ、１０Ｄが、前側となる１０Ａ、１０Ｂよりも伸縮性が大きくされている。
例えば、経方向と同様に、荷重１４．７Nにおける伸度が、１０Ｂにおいて５６％、１０Ｄにおいて８４％である。
また、その場合の経方向と同様の方法で測定した伸縮パワーは、次のとおりであった。
１０Ｂ：（６２４＋４２４）／２＝５２４ｃＮ、１０Ｄ：（２０８＋１２９）／２＝１６９ｃＮ
【００２６】
このような布地１０から、バック布４を図４のとおりに切り取り、実施形態で説明したとおりのブラジャーを作製した。
また、対比のために、Ａ試作品（バック布の４１と４３の上部を同じ強さにして、最もパワーを強くし、上部、前側下部、後側下部と順に弱くした３区分を有するもの。）、Ｂ試作品（Ａ試作品と同じ３区分であるが、前側下部、上部、後側下部の順に弱くしたもの。）、Ｃ試作品（前側と後側の２区分として、前側を強くしたもの。）を試作し、本実施例と各試作品について、モニターによる着用評価を行った結果が表１のとおりである。なお、Ａ〜Ｃ試作品も公知のものではなく、あくまで対比のために試作したものである。
【表１】
2010180509.tif 000003
【００２７】
表１のとおり、本実施例においては、腋部の補整、造形性が優れ、段差も良好に解消し、着用感においてもサポート感も十分でかつ圧迫感も感じられなかった。それに対して、試作品Ａにおいては、前側は本実施例と同様であることから造形性、段差解消については合格であるが、上部は前後が同様に強いことから、圧迫感を生じている。Ｂ試作品については、前側上部での伸縮パワーが前側下部よりも小さいことから、造形性、段差解消（特に造形性）が十分でなく、同じく上部のパワーが弱いためにサポート感に乏しく着用感に劣っている。また、Ｃ試作品においては、前側が上下においてパワーの差がなく、造形性、段差解消において劣るとともに、後側においても上下に差がないことから、サポート感が乏しく着用感が劣っている。
【図面の簡単な説明】
【００２８】
【図１】本発明の実施形態のブラジャーの斜視図である。
【図２】本発明の実施形態のブラジャーを裏から見た図である。
【図３】本発明の実施形態のバック布の説明のための平面図である。
【図４】本発明の実施形態のバック布を作製するための布地の説明図である。
【図５】本発明の他の実施形態のバック布の説明のための平面図である。
【符号の説明】
【００２９】
１‥ブラジャー、２‥カップ部、３‥土台布、４‥バック布、４１‥前側上部、４２‥前側下部、４３‥後側上部、４４‥後側下部、４５‥前側中部、４６‥後側中部、４ａ‥上縁、４ｂ‥下縁、４ｃ‥前縁、４ｄ‥後縁、４ｅ‥斜め状の縁、５‥肩紐、６‥ホック取り付け布、７〜９‥テープ、１０‥布地
【図１】
2010180509.tif 000004
【図２】
2010180509.tif 000005
【図３】
2010180509.tif 000006
【図４】
2010180509.tif 000007
【図５】
2010180509.tif 000008